(57)【要約】【課題】蛍光ランプの寿命末期における電極部の異常加熱を抑制することを目的とする。【解決手段】電極部３０は、一対の導入線２１，２２を備えたステム２０と、フィラメント３１と、一対のリード線３２，３３と、ガラス部材３６，３７，３８，３９と、から構成されている。リード線３２，３３は、ステムに備えられた導入線と溶接されている。ガラス部材３６と３８とは、溶接部３４を挟み込むように、また、ガラス部材３７と３９とは、溶接部３５を挟み込むように加熱溶融され、それぞれ溶接部３４と３５を覆うように封着している。【選択図】図３
2010205497.tif 000002
【特許請求の範囲】
【請求項１】
フィラメントと、
前記フィラメントの両端部に一端部が接合された一対のリード線と、
突出して配置された一対の導電性部材を有し、当該一対の導電性部材の突出部に前記一対のリード線の他端部が接続されたステムと、
前記一対のリード線の他端部と前記一対の導電性部材との接合部の少なくとも１つを封止する絶縁部材と、
を備えたことを特徴とする、蛍光ランプ。
【請求項２】
前記絶縁部材は、前記一対のリード線と前記一対の導電性部材との一対の前記接合部をそれぞれ覆う２つの封止部材から構成される、
ことを特徴とする、請求項１に記載の蛍光ランプ。
【請求項３】
前記絶縁部材は、前記一対のリード線と前記一対の導電性部材との一対の前記接合部を封止する一つの封止部材から構成される、
ことを特徴とする、請求項１に記載の蛍光ランプ。
【請求項４】
さらに、前記一対のリード線上に配置された第２の絶縁部材を備える、
ことを特徴とする、請求項１乃至３のいずれか一項に記載の蛍光ランプ。
【発明の詳細な説明】
【技術分野】
【０００１】
本発明は、蛍光ランプの寿命末期に発生する電極部の異常加熱を抑制することができる蛍光ランプに関する。
【背景技術】
【０００２】
蛍光ランプは、点灯時に、リード線を通じてフィラメントに数十kHzの高周波電流が投入される。点灯回路には、蛍光ランプの寿命末期に発振を停止する検知機構が付与されているのが一般的である。しかし、何らかの原因で検知機構が働かず、フィラメントに大きな電力が投入され、電極部が異常に加熱されることがある。
【０００３】
電極部の異常な加熱を防止するため、特許文献１には、一対のリード線封止部の間のフレアステム頂部を覆うように、絶縁物をフレアステムに設け、絶縁物の各穴にリード線をそれぞれ挿入し、リード線に対して多少動くように固定する手法が開示されている。これにより、導電性物質がステム上および絶縁物上に堆積して導電路が形成され、この導電路に電流が流れることにより異常に加熱する事態を防止できる。
【０００４】
また、特許文献２には、フレアステムを気密に貫通させて支持されているニッケルなどからなる一対の導入線の各々に、棒状の遮蔽物としてのガラス部材をフィラメントの中心軸に対してほぼ平行となるように、かつ、ガラス部材間に所定の隙間が生じるように配設する手法が開示されている。これにより、ステム頂部および導入線間に導電性の飛散物が付着堆積することを防止する。また、各ガラス部材の表面には導電性の飛散物が多く付着堆積するが、各ガラス部材は一対の導入線にガラス部材間に所定の隙間が生じるようにそれぞれ配設されているため、電気的に分断され、導電性の飛散物により導電経路が形成されることを抑制する。
【０００５】
また、特許文献３には、フレアステムに、ニッケル等からなる電気導入線である一対のインナーリード線を軸方向に気密に貫通させて固定し、インナーリード線の内端部に電極であるフィラメントを架け渡して支持し、そして、インナーリード線の少なくとも一方の軸方向中間部にガラス部材であるガラス部材をほぼフィラメントに平行にそれぞれ固着させる手法が開示されている。これにより、フィラメントから飛散する電極物質がフレアステムの頂面上に堆積する量を低減する。
【先行技術文献】
【特許文献】
【０００６】
【特許文献１】特開平１１−３４５５９６号公報
【特許文献２】特開２００４−１５８２０７号公報
【特許文献３】特開２００５−３０２３８６号公報
【発明の概要】
【発明が解決しようとする課題】
【０００７】
蛍光ランプの寿命末期に発生する異常加熱の原因は、ステム頂部に堆積した導電性物質により通電回路が形成され、この通電回路に電流が流れることが原因となるものと、リード線とステムに備えられている導入線との溶接部からの放電による発熱とが知られている。ステム頂部に伝導性物質が堆積することを防止する方法は、従来から検討されているが、溶接部からの放電を防止する方法は検討されていない。
特許文献１乃至３に記載の技術は、導電性物質がステム頂部に堆積することを防ぐことにより、ステム頂部に堆積した導電性物質により通電経路が形成されることを防止できる。しかし、第２の原因である、蛍光ランプの寿命末期における、リード線とステムに備えられた導入線との溶接部位から生じる放電に起因して電極部が異常に加熱されることは抑制できない。
【０００８】
本発明は、上記問題点に鑑みてなされたものであり、蛍光ランプの寿命末期における電極部の異常な加熱を抑制することができる蛍光ランプを提供することを目的とする。
【課題を解決するための手段】
【０００９】
上記目的を達成するため、本発明に係る蛍光ランプは、フィラメントと、前記フィラメントの両端部に一端部が接合された一対のリード線と、突出して配置された一対の導電性部材を有し、当該一対の導電性部材の突出部に前記一対のリード線の他端部が接続されたステムと前記一対のリード線の他端部と前記一対の導電性部材との接合部の少なくとも１つを封止する絶縁部材と、を備えたことを特徴とする。
【発明の効果】
【００１０】
本発明によれば、蛍光ランプの寿命末期における電極部の異常加熱を抑制することができる。
【図面の簡単な説明】
【００１１】
【図１】本発明の実施形態に係る環状蛍光ランプの構成を示す外観図である。
【図２】環状蛍光ランプの電極部を示す図である。
【図３】リード線とステムに備えられた導入線とを接合した溶接部にガラス部材がそれぞれ装着され、溶接部はガラス部材によって覆われている状態を示す図である。
【図４】溶接部にガラス部材が段違いに装着された状態を示す図である。
【図５】溶接部に一対のガラス部材が装着された状態を示す図である。
【発明を実施するための形態】
【００１２】
[第一の実施形態]
以下、本発明の第一実施形態に係る蛍光ランプ１０について図面を参照して説明する。蛍光ランプ１０は、図１に示すように、樹脂等からなる口金１と、口金ピン２と、環状の蛍光管３とから構成されている。
【００１３】
環状蛍光ランプ１０の蛍光管３内部には、図２に示すように、電極部３０が設けられ、環状蛍光ランプ１０の本体には図示しない点灯回路が設けられている。
【００１４】
電極部３０は、図３に示すように、一対の導入線２１，２２を備えたステム２０と、フィラメント３１と、一対のリード線３２，３３と、ガラス部材３６，３７，３８，３９と、から構成されている。
【００１５】
ステム２０を、一対の導入線２１と２２が貫通し、ステム２０の頂部から突出している。
【００１６】
導入線２２の一端とリード線３２の一端、及び導入線２１の一端とリード線３３一端とは、溶接されている。
【００１７】
ガラス部材３６，３７，３８，３９は、それぞれ、円柱形であり、ガラス部材３６と３８とは同一の長さを有し、ガラス部材３７と３９とも同一の長さを有する。ガラス部材３６と３８とは、溶接部３４を挟み込むように、また、ガラス部材３７と３９とは、溶接部３５を挟み込むように加熱溶融され、それぞれ溶接部３４と３５を覆うように封着している。
【００１８】
また、ガラス部材３６，３７，３８，３９は、フィラメント３１とほぼ平行に配置され、ガラス部材３６，３８とガラス部材３７，３９とは離間している。
【００１９】
この構成によれば、溶接部３４と３５が誘電率の高いガラスにより封止されているので、溶接部で放電が発生しない。このため、放電による異常加熱が抑えられる。
【００２０】
また、ガラス部材３６，３７，３８，３９が、フィラメント３１とほぼ平行に配置されているので、フィラメント３１から蒸発飛散した導電性物質がガラス部材３６，３７，３８，３９上に堆積し、ステム２０に堆積して通電することが防止される。また、ガラス部材３６及び３８とガラス部材３７及び３９との間には、空間が配置されているので、ガラス部材３６，３７，３８，３９に導電性物質が堆積しても、リード線３２と３３との間が導通する事態が防止される。
【００２１】
[第二の実施形態]
上記第一実施形態においては、２つの溶接部３４，３５をそれぞれガラス部材３６及び３８、ガラス部材３７及び３９により封止したが、必ずしも両端部を封止しなくてもよい。
【００２２】
例えば、図４に示すように、一方の溶接部３４のみを封止するようにしてもよい。
【００２３】
また、図４に示すように、フィラメントからの飛散物質がステム頂部に堆積しないように、覆いをフィラメントに配置してもよい。
【００２４】
また、ガラス部材４１及び４３の先端部、ガラス部材４２及び４４の先端部は、オーバーラップしており、ステム２０の頂部がフィラメント側から見て露出しないように、配置されていてもよい。
【００２５】
[第三の実施形態]
第一実施形態においては、溶接部３４と３５を、個別に封止したが、図５に示すように、これらを共通のガラス部材で封止してもよい。
【００２６】
なお、上記実施形態では、ガラス部材が円柱形である場合について説明したが、このガラス部材は円柱形に限定されず、角柱状、平板形や、球状、矩形状や、ガラス部材の途中を曲げるなどの種々の応用及び変形が可能である。
【００２７】
また、溶接部の封止の材質もガラスに限定されず、誘電率と耐熱性の高い絶縁物質、例えば、セラミック等でもよい。
【００２８】
さらに、本発明の蛍光ランプの形状は直管形やＵ字形など、環状以外の形であっても構わない。
【符号の説明】
【００２９】
１  口金
２  口金ピン
３  蛍光管
１０  蛍光ランプ
２０  ステム
２１，２２  導入線
３０  電極部
３１  フィラメント
３２，３３  リード線
３４，３５  リード線溶接部
３６，３７，３８，３９，４１，４２，４３，４４，５１，５２  ガラス部材
【図１】
2010205497.tif 000003
【図２】
2010205497.tif 000004
【図３】
2010205497.tif 000005
【図４】
2010205497.tif 000006
【図５】
2010205497.tif 000007